(57)【要約】【課題】  手摺に大きな荷重が繰り返し加えられると、手摺保持部材と連結部材の結合部でガタが発生し、使用者が手摺を使用する際に手摺に大きなブレが生じ、手摺の使用に支障をきたすという問題があった。【解決手段】手摺バー保持部材４の外周面に凹部１４が設けられ、該凹部１４に腕部７が嵌入するように構成されているので、手摺りを使用する際に手摺バー２に荷重が加えられても、手摺バー保持部材４の移動が腕部７によって規制される。【選択図】        図２
2009013645.tif 000002
【特許請求の範囲】
【請求項１】
手摺バーを壁面に対し固定するための手摺ブラケットであって、
壁面に当接して固定される台座部、及び、該台座部から延設された腕部を有するブラケット本体と、
前記腕部の端部に対し回動可能に取付けられ、手摺バーの端部を保持する手摺バー保持部材と、を備え、
前記手摺バー保持部材の外周面に凹部が設けられ、該凹部に前記腕部が嵌入するよう構成されたことを特徴とする手摺ブラケット。
【請求項２】
前記手摺バー保持部材は、前記腕部となす角度が変化するよう回動可能に構成され、
前記角度が所定範囲内となったときのみ、前記手摺バー保持部材の凹部に前記腕部が嵌入することを特徴とする請求項１記載の手摺ブラケット。
【請求項３】
前記腕部の端部は、前記台座部から上方に向けて延びるように形成され、
前記手摺バー保持部材の凹部は、該手摺バー保持部材の下方に設けられたことを特徴とする請求項２記載の手摺ブラケット。
【請求項４】
前記腕部の端部を挟んで、一対の前記手摺バー保持部材が取り付けられたことを特徴とする請求項１記載の手摺ブラケット。
【発明の詳細な説明】
【技術分野】
【０００１】
本発明は、手摺バーを壁面に対し固定する手摺ブラケットに関する。
【背景技術】
【０００２】
従来の手摺ブラケットとして、建材部に固定されるブラケット本体と、手摺の端部を嵌合する嵌合部が一端に設けられるとともに、他端に略半球状の凸面が設けられた手摺保持部材と、該手摺保持部材の凸面に接する凹面が形成された凹面部材と、手摺保持部材を凹面部材の凹面に沿って摺動可能に凹面部材に締結する締結手段と、凹面部材に連結され、かつブラケット本体に固定される連結部材と、を備え、締結手段は、手摺保持部材に対する締結力を凹面部材の連結部材側から変更可能に構成されているものがあった。この手摺ブラケットによれば、手摺保持部材に対する締結力を凹面部材の連結部材側から変更することができるように締結手段が構成されているので、棒状の手摺を手摺保持部材に取り付けた状態で、手摺のブラケット本体に対する傾き角度を任意に調節することができ、手摺保持部材の凹面部材に対する位置決めが容易で、建材部に対する手摺の取り付けを精度の良いものにすることができるというものであった（特許文献１）。
【０００３】
また、側面に接続穴が形成された中空状の一対の半球と、球面状凹部を端面に有しその球面状凹部に接続穴を有した一対の手摺材固定筒と、を有し、手摺材固定筒の球面状凹部に設けられた接続穴と半球に形成された接続穴とを対面させて、各接続穴内を移動可能な接続部材を各接続穴に貫通させ、半球を互いに合わせて球体を形成し、それぞれの半球の接合面が摺動面となって手摺材固定筒とともに回動できるようにしたものがあった（特許文献２）。
【０００４】
【特許文献１】特開２００５−２２０５５９号公報
【特許文献２】特開平８−１２０８６９号公報
【発明の開示】
【発明が解決しようとする課題】
【０００５】
しかしながら、従来のいずれの手摺ブラケットも、手摺（手摺材）に荷重が加えられたときには、その手摺に加えられた荷重は、手摺を保持する手摺保持部材とブラケット本体に固定される連結部材（手摺材固定筒と手摺材）の結合部（摺動部）に集中してかかることになる。特に手摺が階段等の傾斜地に設置される場合、使用者は体重を大きく手摺に掛けて昇り降りすることから、結合部にも大きな荷重が繰り返し加えられることになる。このように、手摺に大きな荷重が繰り返し加えられると、手摺保持部材と連結部材（手摺材固定筒と手摺材）の結合部（摺動部）でガタ（ゆるみ）が発生し、使用者が手摺を使用する際に手摺に大きなブレが生じ、手摺の使用に支障をきたす場合があった。
【０００６】
そこで、本発明は、手摺に大きな荷重が繰り返し加えられても、ガタ（ゆるみ）が発生しにくく、安全に使用することができる手摺ブラケットを提供する。
【課題を解決するための手段】
【０００７】
本発明のうち第１の態様に係るものは、壁面に当接して固定される台座部、及び、該台座部から延設された腕部を有するブラケット本体と、腕部の端部に対し回動可能に取付けられ、手摺バーの端部を保持する手摺バー保持部材と、を備え、手摺バー保持部材の外周面に凹部が設けられ、該凹部に腕部が嵌入するよう構成されたことを特徴とする。
【０００８】
本発明によれば、手摺バー保持部材の外周面に凹部が設けられ、該凹部に腕部が嵌入するように構成されているので、使用の際に手摺バーに荷重が加えられても、手摺バー保持部材の移動が腕部によって規制される。すなわち、腕部の端部に対し手摺バー保持部材が回動可能に取付けられた手摺ブラケットであっても、手摺バーのブレを抑制することができる。
【０００９】
本発明のうち第２の態様に係るものは、第１の態様に係る手摺ブラケットであって、手摺バー保持部材は、腕部となす角度が変化するよう回動可能に構成され、角度が所定範囲内となったときのみ、手摺バー保持部材の凹部に腕部が嵌入することを特徴とする。
【００１０】
手摺バーのブレを抑制する観点からは、手摺バー保持部材と腕部とのなす角度の如何によらず、手摺バー保持部材の凹部に腕部が常に嵌入することが好ましいが、それに伴って嵌入させるための構造が大きくかつ複雑なものとなってしまう。ここで、階段等の傾斜地で、手摺バー保持部材が手摺バーを傾斜させた状態で保持する場合、使用者が手摺バーに大きく体重を掛けて昇り降りすることから、手摺バー保持部材に大きな荷重が繰り返し加えられ、手摺バーのブレが大きくなりやすい。一方、平坦な地で、手摺バー保持部材が手摺バーを水平に近い状態で保持する場合、使用者から手摺バーに加えられる荷重は傾斜地と比較して小さなものとなるため、手摺バーのブレは小さい。
【００１１】
本発明によれば、手摺バー保持部材と腕部とのなす角度が所定範囲内となったときのみ、手摺バー保持部材の凹部に腕部が嵌入する構造をとっている。これにより、手摺バー保持部材の移動の規制が特に必要な場合、すなわち手摺バー保持部材が手摺バーを傾斜させた状態で保持する場合のみ、手摺バー保持部材の凹部に腕部が嵌入するような構造として、コンパクトな構造にすることが可能となる。
【００１２】
本発明のうち第３の態様に係るものは、第２の態様に係る手摺ブラケットであって、腕部の端部は、台座部から上方に向けて延びるように形成され、手摺バー保持部材の凹部は、該手摺バー保持部材の下方に設けられたことを特徴とする。
【００１３】
本発明によれば、手摺バー保持部材の外周面に設けられた凹部および該凹部と嵌入する腕部が下方に隠れるため、使用者が手摺バー及び手摺バー保持部材の上面を手で伝って移動する際に、その凹部に手が引っ掛かるといったことがなく、利便性を向上させることができる。
【００１４】
本発明のうち第４の態様に係るものは、第１の態様に係る手摺ブラケットであって、腕部の端部を挟んで、一対の手摺バー保持部材が取り付けられたことを特徴とする。
【００１５】
手摺バー保持部材は、手摺バー保持部材の凹部に腕部が嵌入するよう取り付ける必要がある。したがって、仮に一の手摺バー保持部材がその一側面側で腕部に対し取り付けられ、この一側面と対向する一の手摺バー保持部材の他側面側に他の手摺バー保持部材が取り付けられる（すなわち、腕部から見て一方に二つの手摺バー保持部材が位置する）場合、他の手摺バー保持部材と腕部との距離が大きくなるため、他の手摺バー保持部材の凹部に腕部を嵌入させる構造が大きくかつ複雑なものとなってしまう。
【００１６】
本発明によれば、腕部の端部を挟んで、一対の手摺バー保持部材が取り付けられている。つまり、腕部の端部の一側面側に一の手摺バー保持部材が取り付けられ、また、この腕部の端部の一側面と対向する他側面側に、他の手摺バー保持部材が取り付けられている。したがって、両手摺バー保持部材が腕部と隣り合う構造となるため、手摺バー保持部材の凹部に腕部を嵌入させる構造をコンパクトなものにすることができる。
【発明の効果】
【００１７】
本発明の手摺ブラケットによれば、手摺バー保持部材の外周面に凹部が設けられ、該凹部に腕部が嵌入するように構成されているので、手摺に大きな荷重が繰り返し加えられても、ガタ（ゆるみ）が発生しにくく、安全に使用することができる。
【発明を実施するための最良の形態】
【００１８】
以下、図面を参照して、本発明の一実施形態における手摺ブラケットについて説明する。図１は、本発明の一実施形態における手摺ブラケットが設置された階段の外観図である。なお、図１では、階段の踊り場から上の階までの部分について示している。
【００１９】
図１に示すように、手摺ブラケット１は、壁面Ｗに固定され、手摺バー２、２’を連結するものである。このように、図１では、平坦地の手摺バー２’が、手摺ブラケット１により、昇降部分の手摺バー２に角度を変えながら連結され、さらに、昇降部分の手摺バー２が、手摺ブラケット１により、上の階部分の手摺バー２に角度を変えながら取り付けられている。なお、昇降部分中間部にある支持ブラケット２０は、単に手摺バー２を支持するものであり、本発明の手摺ブラケット１と異なるものである。
【００２０】
次に、図２を用いて、手摺ブラケット１について説明する。図２は、本発明の一実施形態における手摺ブラケットの斜視図である。
【００２１】
図２に示すように、手摺ブラケット１は、ブラケット本体３と、手摺バー保持部材４、４’を有している。
【００２２】
ブラケット本体３は、壁面Ｗに当接して固定ねじ５により固定され、手摺バー保持部材４、４’を回動可能に取付けるもので、壁面Ｗに当接して固定される台座部６と、該台座部６から上方に向けて延設された腕部７を有している。また、台座部６には、固定ねじ５を見えないようにするためのカバー８が取り付けられている。このブラケット本体３は、亜鉛ダイカストを材料として製造されている。
【００２３】
一対の手摺バー保持部材４、４’は、腕部７の端部７１に対し回動可能に取付けられ、それぞれ手摺バー２、２’の端部を保持するもので、この手摺バー保持部材４、４’は、回動軸９を軸として矢印の方向に回動する（図２参照）。この手摺バー保持部材４、４’は、亜鉛ダイカストを材料として製造されている。
【００２４】
次に、図３を用いて、手摺ブラケット１の組み立て方法について説明する。図３は、本発明の一実施形態における手摺ブラケットの分解斜視図である。手摺ブラケット１を壁面Ｗに当接させて取り付けるためには、まず、ブラケット本体３の台座部６を壁面Ｗに当接させ、そして台座部６に設けられているねじ孔１０に固定ねじ５を挿入し、ブラケット本体３を壁面Ｗに固着させる。そして、固定ねじ５を外部から視認できないようにするために台座部６にカバー８を嵌め込む。
【００２５】
次に、ブラケット本体３の腕部７の端部に、その腕部７の端部７１を挟んで、一対の手摺バー保持部材４、４’を当接させる。そして、回動ねじ１２により一対の手摺バー保持部材４を腕部７の端部７１に対し回動自在に取り付ける。これにより、腕部７と手摺バー保持部材４が一体的に取り付けられる。その後、キャップ１３を嵌め込んで、回動ねじ１２を外部から視認できなくなるようにする。
【００２６】
次に、図４および図５を用いて、手摺バー保持部材４、４’について説明する。図４は、図２に示す腕部の端部に取り付けられた手前側の手摺バー保持部材を示す図であり、図５は、図２に示す腕部の端部に取り付けられた壁面側の手摺バー保持部材を示す図である。図４および図５に示すように、手摺バー保持部材４、４’には、その外周面に腕部７が嵌入する凹部１４、１４’が設けられている。この凹部１４、１４’の形状は、腕部７の嵌入する部分と略同一形状になっている。
【００２７】
次に、図６〜図９を用いて、壁面Ｗに取り付けられた手摺ブラケット１について説明する。図６は、壁面に設置された手摺ブラケットの上面図であり、図７は、図６の手摺ブラケットのＡ−Ａ断面を示す図であり、図８は、壁面に設置された手摺ブラケットの側面図であり、図９は、図８の手摺ブラケットのＢ−Ｂ断面を示す図である。
【００２８】
図６に示すように、手摺ブラケット１は、ブラケット本体３の台座部６で、固定ボルト５により壁面Ｗに固定されている。そして、ブラケット本体３の腕部７の端部７１には、一対の手摺バー保持部材４、４’が回動可能に取り付けられ、それぞれ手摺バー２、２’の端部を保持している。
【００２９】
このように、腕部７の端部７１の一側面側に一の手摺バー保持部材４が取り付けられ、また、この腕部７の端部７１の一側面と対向する他側面側に、他の手摺バー保持部材４’が取り付けられている。したがって、両手摺バー保持部材４、４’がいずれも腕部７と隣り合う構造となるため、手摺バー保持部材４、４’の凹部１４、１４’に腕部７を嵌入させる構造をコンパクトなものにすることができる。
【００３０】
また、図７に示すように、ブラケット本体３の腕部７の端部７１は、台座部６から上方に向けて延びるように形成され、手摺バー保持部材４、４’の凹部１４、１４’は、手摺バー保持部材４、４’の下方に設けられている。
【００３１】
このように、手摺バー保持部材４、４’の外周面に設けられた凹部１４、１４’および該凹部１４、１４’と嵌入する腕部７が下方に隠れるため、使用者が手摺バー２、２’及び手摺バー保持部材４、４’の上面を手で伝って移動する際に、その凹部１４、１４’に手が引っ掛かるといったことがなく、利便性を向上させることができる。
【００３２】
この手摺バー保持部材４、４’は、図７に示すように、腕部７の端部７１に、腕部７となす角度θが変化するよう回動可能に取り付けられ、その腕部７との角度θが所定範囲内となったときのみ、手摺バー保持部材４、４’の凹部１４、１４’内に腕部７が嵌入する。すなわち、手摺バー保持部材４、４’を回動させることにより、手摺バー保持部材４、４’と腕部７とのなす角度θが変化し、該角度θが所定の角度になったときに腕部７が手摺バー保持部材４に嵌入しはじめ、最終的に腕部７と手摺バー保持部材４が密着して完全に嵌まり込む。
【００３３】
このように、手摺バー保持部材４、４’の外周面に凹部１４、１４’が設けられ、該凹部１４、１４’に腕部７が嵌入するように構成されているので、使用の際に手摺バー２、、２’に荷重が加えられても、手摺バー保持部材４、４’の移動が腕部７によって規制される。すなわち、腕部７の端部７１に対し手摺バー保持部材４が回動可能に取付けられた手摺ブラケット１であっても、手摺バー２、２’のブレを抑制することができる。また、手摺バー保持部材４、４’と腕部７とのなす角度が所定範囲内となったときのみ、手摺バー保持部材４、４’の凹部１４に腕部７が嵌入する構造をとっている。これにより、手摺バー保持部材４、４’の移動の規制が特に必要な場合、すなわち、図７に示す手摺バー保持部材４のように、手摺バー２を傾斜させた状態で保持する場合のみ、手摺バー保持部材４の凹部１４に腕部７が嵌入するような構造として、コンパクトな構造にすることが可能となる。
【図面の簡単な説明】
【００３４】
【図１】本発明の一実施形態における手摺ブラケットが設置された階段の外観図である。
【図２】同手摺ブラケットの斜視図である。
【図３】同手摺ブラケットの分解斜視図である。
【図４】図２に示す腕部の端部に取り付けられた手前側の手摺バー保持部材を示す図である。
【図５】図２に示す腕部の端部に取り付けられた壁面側の手摺バー保持部材を示す図である。
【図６】壁面に設置された手摺ブラケットの上面図である。
【図７】図６の手摺ブラケットのＡ−Ａ断面を示す図である。
【図８】壁面に設置された手摺ブラケットの側面図である
【図９】図８の手摺ブラケットのＢ−Ｂ断面を示す図である。
【符号の説明】
【００３５】
１  手摺ブラケット
２  手摺バー
２’ 手摺バー３  ブラケット本体
４  手摺バー保持部材
４’ 手摺バー保持部材
５  固定ねじ
６  台座部
７  腕部
８  カバー
７１  端部
【図１】
2009013645.tif 000003
【図２】
2009013645.tif 000004
【図３】
2009013645.tif 000005
【図４】
2009013645.tif 000006
【図５】
2009013645.tif 000007
【図６】
2009013645.tif 000008
【図７】
2009013645.tif 000009
【図８】
2009013645.tif 000010
【図９】
2009013645.tif 000011